(57)【要約】【課題】  高電圧化と小型化とを図ることが可能な半導体装置を提供すること。【解決手段】  複数のリード１，２，３，４と、ドレイン電極５２、ソース電極５３およびゲート電極５４を有するスイッチング素子５と、スイッチング素子５を制御する制御素子６と、複数のリード１，２，３，４の一部ずつ、スイッチング素子５および制御素子６を覆う樹脂部８と、を備える半導体装置Ａ１であって、複数のリード１，２，３，４は、ドレイン電極５２に導通するドレインリード１と、ソース電極５３に導通するソースリード２と、制御素子６に導通する１以上の制御リード３，４と、を含み、ドレインリード１が樹脂部８から露出する部分であるドレインリード露出部８０１とソースリード２が樹脂部８から露出する部分であるソースリード露出部８０２とのｘ方向における距離は、制御リード３，４が樹脂部８から露出する部分である制御リード露出部８０３，８０４とソースリード露出部８０２とのうち隣り合うもの同士の距離よりも大きい。【選択図】  図１
2020188104.tif 000002
【特許請求の範囲】
【請求項１】
複数のリードと、
ドレイン電極、ソース電極およびゲート電極を有するスイッチング素子と、
前記スイッチング素子を制御する制御素子と、
前記複数のリードの一部ずつ、前記スイッチング素子および前記制御素子を覆う樹脂部と、を備える半導体装置であって、
前記複数のリードは、前記ドレイン電極に導通するドレインリードと、前記ソース電極に導通するソースリードと、前記制御素子に導通する１以上の制御リードと、を含み、
前記ドレインリードが前記樹脂部から露出する部分であるドレインリード露出部と前記ソースリードが前記樹脂部から露出する部分であるソースリード露出部との第１方向における距離は、前記制御リードが前記樹脂部から露出する部分である制御リード露出部と前記ソースリード露出部とのうち隣り合うもの同士の距離よりも大きい、半導体装置。
【請求項２】
前記ドレインリード露出部、前記ソースリード露出部および前記制御リード露出部は、前記第１方向に並んでいる、請求項１に記載の半導体装置。
【請求項３】
前記複数のリードは、複数の前記制御リードを含む、請求項２に記載の半導体装置。
【請求項４】
複数の前記制御リード露出部は、前記第１方向において、前記ソースリード露出部を挟んで前記ドレインリード露出部とは反対側に配置されている、請求項３に記載の半導体装置。
【請求項５】
前記ドレインリード露出部と前記前記ソースリード露出部との距離は、前記ソースリード露出部および前記複数の制御リード露出部のうち隣り合うもの同士の距離の２倍以上４倍以下である、請求項４に記載の半導体装置。
【請求項６】
前記ドレインリードは、前記樹脂部から突出するドレイン端子部を有し、
前記ソースリードは、前記樹脂部から突出するソース端子部を有し、
前記制御リードは、前記樹脂部から突出する制御端子部を有する、請求項４または５に記載の半導体装置。
【請求項７】
前記ドレイン端子部は、前記第１方向と直角である第２方向に沿った形状である、請求項６に記載の半導体装置。
【請求項８】
前記ソース端子部は、前記ソースリード露出部から前記第２方向に沿って延びるソース基端部と、前記ソース基端部に対して前記第２方向一方側であって前記第１方向および前記第２方向と直角である第３方向の一方側に位置し且つ前記第２方向に沿って延びるソース先端部と、を有する、請求項７に記載の半導体装置。
【請求項９】
前記ソース端子部は、前記ソース基端部および前記ソース先端部を連結し且つ前記第２方向および前記第３方向に対して傾斜したソース連結部を有する、請求項８に記載の半導体装置。
【請求項１０】
前記ドレイン端子部と前記ソース先端部との前記第３方向における距離は、前記ドレインリード露出部と前記ソースリード露出部との距離よりも大きい、請求項９に記載の半導体装置。
【請求項１１】
前記複数の制御端子部は、前記制御リード露出部から前記第２方向に沿って延びる制御基端部と、前記制御基端部に対して前記第２方向一方側であって前記第１方向および前記第２方向と直角である第３方向の一方側に位置し且つ前記第２方向に沿って延びる制御先端部と、有するものを含む、請求項９または１０に記載の半導体装置。
【請求項１２】
前記複数の制御端子部は、前記制御基端部および前記制御先端部を連結し且つ前記第２方向および前記第３方向に対して傾斜した制御連結部を有するものを含む、請求項１１に記載の半導体装置。
【請求項１３】
前記ドレイン端子部と前記制御先端部との前記第３方向における距離は、前記ドレインリード露出部と前記制御リード露出部との距離よりも大きい、請求項１２に記載の半導体装置。
【請求項１４】
前記ソース先端部および前記複数の制御先端部のうち前記第１方向において隣り合うもの同士は、互いの前記第３方向における位置が異なる、請求項１１または１２に記載の半導体装置。
【請求項１５】
前記複数の制御端子は、前記第１方向において前記ドレイン端子部から最も離間し且つ前記制御端子部が第２方向に沿って延びる形状であるものを含む、請求項１２ないし１４のいずれかに記載の半導体装置。
【請求項１６】
前記ドレイン端子部の先端と前記ソース端子部の先端との距離は、前記樹脂部の前記第１方向における大きさの０．５倍以上１．０倍以下である、請求項８ないし１５のいずれかに記載の半導体装置。
【請求項１７】
前記ドレイン端子部の先端と前記ソース端子部の先端との距離は、５ｍｍ以上１０ｍｍ以下である、請求項１６に記載の半導体装置。
【請求項１８】
前記スイッチング素子は、ＳｉＣを主材とする半導体層を有する、請求項１ないし１７のいずれかに記載の半導体装置。
【発明の詳細な説明】
【技術分野】
【０００１】
本開示は、半導体装置に関する。
【背景技術】
【０００２】
特許文献１には、スイッチング素子としてのＭＯＳＦＥＴを備えた半導体装置が開示されている。同文献に開示された半導体装置では、スイッチング素子を動作させるための複数のリードが、樹脂部から一方向に露出した構成となっている。
【先行技術文献】
【特許文献】
【０００３】
【特許文献１】特開２０１７−５１６５号公報
【発明の概要】
【発明が解決しようとする課題】
【０００４】
スイッチング素子を備えた半導体装置では、高電圧化が求められる場合がある。高電圧化に対応するには、半導体装置が大型とならざるを得ないことが多い。
【０００５】
本開示は、上記した事情のもとで考え出されたものであって、高電圧化と小型化とを図ることが可能な半導体装置を提供することをその課題とする。
【課題を解決するための手段】
【０００６】
本開示によって提供される半導体装置は、複数のリードと、ドレイン電極、ソース電極およびゲート電極を有するスイッチング素子と、前記スイッチング素子を制御する制御素子と、前記複数のリードの一部ずつ、前記スイッチング素子および前記制御素子を覆う樹脂部と、を備える半導体装置であって、前記複数のリードは、前記ドレイン電極に導通するドレインリードと、前記ソース電極に導通するソースリードと、前記制御素子に導通する１以上の制御リードと、を含み、前記ドレインリードが前記樹脂部から露出する部分であるドレインリード露出部と前記ソースリードが前記樹脂部から露出する部分であるソースリード露出部との第１方向における距離は、前記制御リードが前記樹脂部から露出する部分である制御リード露出部と前記ソースリード露出部とのうち隣り合うもの同士の距離よりも大きい。
【発明の効果】
【０００７】
本開示の半導体装置によれば、高電圧化と小型化とを図ることができる。
【０００８】
本開示のその他の特徴および利点は、添付図面を参照して以下に行う詳細な説明によって、より明らかとなろう。
【図面の簡単な説明】
【０００９】
【図１】本開示の第１実施形態に係る半導体装置を示す斜視図である。
【図２】本開示の第１実施形態に係る半導体装置を示す正面図である。
【図３】本開示の第１実施形態に係る半導体装置を示す平面図である。
【図４】本開示の第１実施形態に係る半導体装置を示す底面図である。
【図５】本開示の第１実施形態に係る半導体装置を示す背面図である。
【図６】本開示の第１実施形態に係る半導体装置を示す左側面図である。
【図７】本開示の第１実施形態に係る半導体装置を示す右側面図である。
【図８】本開示の第１実施形態に係る半導体装置を示す要部正面図である。
【図９】本開示の第１実施形態に係る半導体装置を示す要部拡大正面図である。
【図１０】図８のＸ−Ｘ線に沿う断面図である。
【図１１】図８のＸＩ−ＸＩ線に沿う断面図である。
【図１２】本開示の第１実施形態に係る半導体装置を示す要部拡大断面図である。
【図１３】図８のＸＩＩＩ−ＸＩＩＩ線に沿う断面図である。
【図１４】図２のＸＩＶ−ＸＩＶ線に沿う断面図である。
【図１５】図２のＸＶ−ＸＶ線に沿う断面図である。
【図１６】本開示の第２実施形態に係る半導体装置を示す底面図である。
【図１７】本開示の第３実施形態に係る半導体装置を示す底面図である。
【発明を実施するための形態】
【００１０】
以下、本開示の好ましい実施の形態につき、図面を参照して具体的に説明する。
【００１１】
本開示における「第１」、「第２」、「第３」等の用語は、単にラベルとして用いたものであり、必ずしもそれらの対象物に順列を付することを意図していない。
【００１２】
＜第１実施形態＞
図１〜図１５は、本開示の第１実施形態に係る半導体装置を示している。本実施形態の半導体装置Ａ１は、複数のリード１，２，３，４、スイッチング素子５、制御素子６、絶縁層７および樹脂部８を備えている。半導体装置Ａ１の用途は特に限定されず、様々な電力変換等の機能を果たす半導体装置として用いられる。半導体装置Ａ１の用途の一例としては、たとえば産業機器向けのＡＣ／ＤＣコンバータが挙げられる。たとえば、１２００Ｖ程度の交流電力を、５Ｖ程度の直流電力に変換するＡＣ／ＤＣコンバータが挙げられる。
【００１３】
図１は、半導体装置Ａ１を示す斜視図である。図２は、半導体装置Ａ１を示す正面図である。図３は、半導体装置Ａ１を示す平面図である。図４は、半導体装置Ａ１を示す底面図である。図５は、半導体装置Ａ１を示す背面図である。図６は、半導体装置Ａ１を示す左側面図である。図７は、半導体装置Ａ１を示す右側面図である。図８は、半導体装置Ａ１を示す要部正面図である。図９は、半導体装置Ａ１を示す要部拡大正面図である。図１０は、図８のＸ−Ｘ線に沿う断面図である。図１１は、図８のＸＩ−ＸＩ線に沿う断面図である。図１２は、半導体装置Ａ１を示す要部拡大断面図である。図１３は、図８のＸＩＩＩ−ＸＩＩＩ線に沿う断面図である。図１４は、図２のＸＩＶ−ＸＩＶ線に沿う断面図である。図１５は、図２のＸＶ−ＸＶ線に沿う断面図である。これらの図において、ｘ方向は、本開示の第１方向に相当し、ｙ方向は、本開示の第２方向に相当し、ｚ方向は、本開示の第３方向に相当する。
【００１４】
複数のリード１，２，３，４は、スイッチング素子５および制御素子６を支持したり、スイッチング素子５および制御素子６を動作させるための導通経路を構成している。本実施形態においては、複数のリード１，２，３，４は、ドレインリード１、ソースリード２、１以上の制御リード３および制御リード４を含む。複数のリード１，２，３，４の材質は特に限定されず、金属等の導電性材料が適宜用いられる。複数のリード１，２，３，４の材質の一例としては、Ｃｕ、Ｆｅ、Ｎｉやこれらの合金が挙げられる。また、複数のリード１，２，３，４の表面の適所に、めっき層等を適宜設けてもよい。
【００１５】
＜ドレインリード１＞
ドレインリード１は、ダイボンディング部１１、連結部１２およびドレイン端子部１３を有する。ダイボンディング部１１は、スイッチング素子５や制御素子６がダイボンディングされる部位であり、比較的大きなｘ方向およびｙ方向に広がる平板状の部位である。図８に示すように、本実施形態では、ダイボンディング部１１は、主部１１１、第１延出部１１２および第２延出部１１３を有する。
【００１６】
主部１１１は、ダイボンディング部１１の大部分を占める部位であり、図示された例においては、略矩形状である。図示された例においては、主部１１１には、貫通孔１１７およびスリット１１８が形成されている。
【００１７】
貫通孔１１７は、主部１１１をｚ方向に貫通する孔である。貫通孔１１７の形状は特に限定されず、図示された例においては、円形状である。スリット１１８は、所定の形状の溝または貫通スリットである。図示された例においては、スリット１１８は、主部１１１をｚ方向に貫通する貫通スリットである。スリット１１８の形状は何ら限定されない。
【００１８】
第１延出部１１２および第２延出部１１３は、主部１１１からｙ方向一方側に延出している。第２延出部１１３は、主部１１１のｘ方向一方側部分から延出しており、第１延出部１１２は、主部１１１のｘ方向他方側部分から延出している。
【００１９】
図９に示すように、図示された例においては、ダイボンディング部１１は、曲線部１１４および屈曲線部１１６を有する。曲線部１１４は、主部１１１と第２延出部１１３との境界に位置しており、ｚ方向視において凹曲線状である。屈曲線部１１６は、主部１１１と第１延出部１１２との境界に位置しており、ｚ方向視において２つの曲線部分が繋がった部分である。
【００２０】
連結部１２は、ダイボンディング部１１とドレイン端子部１３とを連結する部位である。図示された例においては、連結部１２は、ダイボンディング部１１の第２延出部１１３に繋がっており、第２延出部１１３からｙ方向一方側に延びている。また、図１０に示すように、連結部１２は、ｙ方向において一方側に向かうほどｚ方向において一方側に位置するように傾斜している。
【００２１】
ドレイン端子部１３は、ワイヤボンディング部２１に繋がっており、連結部１２からｙ方向一方側に延びており、樹脂部８からｙ方向一方側に突出する部位である。本実施形態においては、ドレイン端子部１３は、ｙ方向に沿った形状である。
【００２２】
＜ソースリード２＞
ソースリード２は、ドレインリード１の連結部１２およびドレイン端子部１３に対してｘ方向他方側に離間して配置されており、ドレインリード１の主部１１１に対してｙ方向一方側に離間して配置されている。ソースリード２は、ワイヤボンディング部２１およびソース端子部２３を有する。
【００２３】
ワイヤボンディング部２１は、ワイヤ９１やワイヤ９３がボンディングされる部位である。図９に示すように、図示された例においては、ワイヤボンディング部２１は、第１延出部２１１および第２延出部２１２を有する。第１延出部２１１は、ｘ方向他方側に延出する部分である。第２延出部２１２は、ｘ方向一方側に延出する部分である。図示された例においては、第２延出部２１２のｘ方向の大きさが、第１延出部２１１のｘ方向の大きさよりも大きい。図１０および図１１から理解されるように、ワイヤボンディング部２１は、ダイボンディング部１１よりもｚ方向一方側に位置しており、ドレイン端子部１３とｚ方向の位置が略同じである。
【００２４】
図示された例においては、ワイヤボンディング部２１は、曲線部２１３、曲線部２１４、曲線部２１５および角部２１６を有する。曲線部２１３は、第１延出部２１１のｘ方向他方側端縁とｙ方向一方側の端縁を繋いでおり、ｚ方向視において凸曲線状である。曲線部２１４は、第２延出部２１２のｙ方向他方側端縁とｘ方向一方側端縁とを繋いでおり、ｚ方向視において凸曲線状である。また、曲線部２１４は、ｚ方向視においてドレインリード１の曲線部１１４と対向する位置に設けられている。曲線部２１５は、第２延出部２１２のｙ方向一方側端縁とｘ方向一方側端縁とを繋いでおり、ｚ方向視において凸曲線状である。
【００２５】
ソース端子部２３は、樹脂部８からｙ方向一方側に突出する部位である。本実施形態においては、図８および図１１に示すように、ソース端子部２３は、ソース基端部２３１、ソース先端部２３２およびソース連結部２３３を有する。ソース基端部２３１は、樹脂部８からｙ方向一方側に沿って延びる部分である。ソース先端部２３２は、ソース基端部２３１に対してｙ方向一方側であって、ｚ方向一方側に位置している。ソース先端部２３２は、ｙ方向に沿って延びている。ソース連結部２３３は、ソース基端部２３１およびソース先端部２３２を連結しており、ｙ方向およびｚ方向に対して傾斜している。
【００２６】
＜制御リード３＞
制御リード３は、ソースリード２に対してｘ方向他方側に離間して配置されており、ドレインリード１の主部１１１に対してｙ方向一方側に離間して配置されている。制御リード３の本数は特に限定されず、図示された例においては、３本の制御リード３が設けられている。３本の制御リード３は、ｘ方向に当ピッチで配置されている。制御リード３は、ｘ方向においてソースリード２を挟んでドレインリード１とは反対側に配置されている。制御リード３は、ワイヤボンディング部３１および制御端子部３３を有する。
【００２７】
ワイヤボンディング部３１は、ワイヤ９４がボンディングされる部位である。図示された例においては、ワイヤボンディング部３１は、制御素子６に向かって延びる形状部分を有する。図１０、図１１および図１３から理解されるように、ワイヤボンディング部３１は、ダイボンディング部１１よりもｚ方向一方側に位置しており、ドレイン端子部１３およびワイヤボンディング部２１とｚ方向の位置が略同じである。
【００２８】
制御端子部３３は、樹脂部８からｙ方向一方側に突出する部位である。本実施形態においては、図８および図１３に示すように、制御端子部３３は、制御基端部３３１、制御先端部３３２および制御連結部３３３を有する。制御基端部３３１は、樹脂部８からｙ方向一方側に沿って延びる部分である。制御先端部３３２は、制御基端部３３１に対してｙ方向一方側であって、ｚ方向一方側に位置している。制御先端部３３２は、ｙ方向に沿って延びている。制御連結部３３３は、制御基端部３３１および制御先端部３３２を連結しており、ｙ方向およびｚ方向に対して傾斜している。
【００２９】
図４に示すように、本実施形態においては、ソースリード２のソース先端部２３２および複数の制御リード３の制御先端部３３２のｚ方向位置は、すべてが同一とはなっておらず、異なる高さのものを含む。図示された例においては、ソース先端部２３２と３つの制御先端部３３２とが、ｙ方向視において千鳥状に配置されている。
【００３０】
＜制御リード４＞
制御リード４は、制御リード３に対してｘ方向他方側に離間して配置されており、ドレインリード１の主部１１１に対してｙ方向一方側に離間して配置されている。制御リード４の本数は特に限定されず、図示された例においては、１本の制御リード４が設けられている。制御リード４は、ｘ方向において制御リード３を挟んでソースリード２とは反対側に配置されている。制御リード４は、ワイヤボンディング部４１および制御端子部４３を有する。
【００３１】
ワイヤボンディング部４１は、ワイヤ９４がボンディングされる部位である。図示された例においては、ワイヤボンディング部４１は、制御素子６に向かって延びる形状部分を有する。ワイヤボンディング部４１は、ダイボンディング部１１よりもｚ方向一方側に位置しており、ドレイン端子部１３、ワイヤボンディング部２１およびワイヤボンディング部３１とｚ方向の位置が略同じである。
【００３２】
制御端子部４３は、樹脂部８からｙ方向一方側に突出する部位である。本実施形態においては、図１、図２、図７および図８に示すように、制御端子部４３は、樹脂部８からｙ方向一方側に沿って延びている。図４に示すように、制御端子部４３のｚ方向の位置は、ドレイン端子部１３のｚ方向の位置と略同じである。
【００３３】
＜スイッチング素子５＞
スイッチング素子５は、入力電流をスイッチングする素子であり、何ら限定されない。本実施形態においては、スイッチング素子５は、ＳｉＣを主材とする半導体層を有するＳｉＣ−ＭＯＳＦＥＴである。ＳｉＣ−ＭＯＳＦＥＴは、たとえばＳｉを主材とする半導体層を有するＳｉ−ＭＯＳＦＥＴと比べて、低損失であるという利点を有する。本実施形態においては、図８、図９、図１１および図１２に示すように、スイッチング素子５は、半導体層５１、ドレイン電極５２、ソース電極５３およびゲート電極５４を有する。
【００３４】
スイッチング素子５は、ダイボンディング部１１の主部１１１のｙ方向一方側であって、ｘ方向における略中央に搭載されている。また、スイッチング素子５は、スリット１１８に対してｙ方向一方側に位置している。半導体層５１は、ＳｉＣを主材とする半導体層である。ドレイン電極５２は、半導体層５１のｚ方向他方側に設けられている。本実施形態においては、ドレイン電極５２は、導電性接合材５９によって主部１１１に導通接合されている。導電性接合材５９は、たとえばはんだやＡｇペーストである。ソース電極５３は、半導体層５１のｚ方向一方側に設けられている。ゲート電極５４は、半導体層５１のｚ方向一方側に設けられており、ソース電極５３に対してｙ方向他方側に配置されている。ソース電極５３は、複数のワイヤ９１によってワイヤボンディング部２１に接続されている。ゲート電極５４は、ワイヤ９２によって制御素子６に接続されている。
【００３５】
＜制御素子６＞
制御素子６は、スイッチング素子５のスイッチング動作を制御するための集積回路素子である。制御素子６は、本体６１および複数の電極パッド６２を有する。本体６１は、集積回路が形成された部分であり、ｚ方向視において矩形状である。複数の電極パッド６２は、本体６１のｚ方向一方側に設けられている。
【００３６】
制御素子６は、ドレインリード１のダイボンディング部１１の主部１１１および第１延出部１１２に跨るように搭載されている。制御素子６の搭載手法は何ら限定されない。制御素子６は、スイッチング素子５に対してｘ方向他方側に位置している。また、図示された例においては、制御素子６は、スイッチング素子５に対してｙ方向一方側にシフトして配置されている。
【００３７】
＜絶縁層７＞
本実施形態においては、制御素子６とダイボンディング部１１との間に絶縁層７が介在している。絶縁層７は、スイッチング素子５のドレイン電極５２と同電位となるダイボンディング部１１と制御素子６とを適切に絶縁し得る層であり、たとえばアルミナに代表されるセラミックス等の絶縁材料からなる。図１３に示すように、絶縁層７は、接合材７９によってダイボンディング部１１に接合されている。制御素子６の本体６１は、接合材６９によって絶縁層７に接合されている。接合材７９および接合材６９は特に限定されず、本実施形態においては、絶縁性の接合材が用いられている。
【００３８】
図９に示すように、図示された例においては、絶縁層７のｙ方向他方側端縁と、スイッチング素子５のｙ方向他方側端縁とが、ｙ方向において略同じ位置に配置されている。
【００３９】
複数の電極パッド６２には、ワイヤ９３および複数のワイヤ９４が適宜接続されている。ワイヤ９３は、１つの電極パッド６２とワイヤボンディング部２１の第１延出部２１１とに接続されている。複数のワイヤ９４は、複数の電極パッド６２と複数のワイヤボンディング部３１およびワイヤボンディング部４１とに個別に接続されている。
【００４０】
＜樹脂部８＞
樹脂部８は、複数のリード１，２，３，４の一部ずつ、スイッチング素子５、制御素子６、絶縁層７およびワイヤ９１，９２，９３，９４を覆っている。樹脂部８の材質は特に限定されず、たとえばフィラーが混入された黒色のエポキシ樹脂からなる。
【００４１】
図１〜図７、図１０、図１１および図１３〜図１５に示すように、樹脂部８は、第１面８１、第２面８２、第３面８３、第４面８４、第５面８５、第６面８６、第７面８７および第８面８８を有する。
【００４２】
第１面８１は、ｚ方向一方側を向く面である。本実施形態においては、第１面８１は、ｚ方向に対して直角な面であり、ｚ方向視において略矩形状である。第２面８２は、ｚ方向一方側を向く面である。本実施形態においては、第１面８１は、ｚ方向に対して直角な面であり、ｚ方向視において略矩形状である。第２面８２は、第１面８１に対してｙ方向一方側であって、ｚ方向他方側に位置している。本実施形態においては、第１面８１は、ｚ方向視においてスイッチング素子５、制御素子６、絶縁層７およびワイヤ９１，９２，９３，９４と重なる。一方第２面８２は、ｚ方向視においてスイッチング素子５、制御素子６、絶縁層７およびワイヤ９１，９２，９３，９４とは重ならない。第３面８３は、第１面８１と第２面８２との間に介在しており、ｙ方向およびｚ方向に対して傾いている。
【００４３】
第４面８４は、ｚ方向他方側を向く面である。本実施形態においては、第４面８４は、ｚ方向に対して直角な面であり、ｚ方向視において略矩形状である。
【００４４】
第５面８５は、ｚ方向において第１面８１、第２面８２および第３面８３と第４面８４との間に位置しており、図示された例においては、第１面８１、第２面８２および第３面８３と第４面８４とに繋がっている。第５面８５は、ｘ方向一方側を向く面である。図示された例においては、第５面８５は、ｚ方向に対して５°程度傾いている。すなわち、第５面８５は、ｚ方向において一方側に向かうほどｘ方向において他方側に位置するように傾斜している。第６面８６は、ｚ方向において第１面８１、第２面８２および第３面８３と第４面８４との間に位置しており、図示された例においては、第１面８１、第２面８２および第３面８３と第４面８４とに繋がっている。第６面８６は、ｘ方向他方側を向く面である。図示された例においては、第６面８６は、ｚ方向に対して５°程度傾いている。すなわち、第６面８６は、ｚ方向において一方側に向かうほどｘ方向において一方側に位置するように傾斜している。
【００４５】
第７面８７は、ｚ方向において第１面８１と第４面８４との間に位置しており、図示された例においては、第１面８１および第４面８４に繋がっている。第７面８７は、ｙ方向一方側を向く面である。図示された例においては、第７面８７は、ｚ方向に分かれて配置された２つの傾斜面からなる。第８面８８は、ｚ方向において第２面８２と第４面８４との間に位置しており、図示された例においては、第２面８２および第４面８４に繋がっている。第８面８８は、ｙ方向他方側を向く面である。図示された例においては、第８面８８は、ｙ方向に対して略直角な面である。
【００４６】
本実施形態の樹脂部８は、図２、図５、図１４および図１５に示すように、貫通孔８０７、凹部８０８および凹部８０９を有する。貫通孔８０７は、樹脂部８をｚ方向に貫通しており、ドレインリード１のダイボンディング部１１の貫通孔１１７にｚ方向視において内包されている。凹部８０８は、第２面８２から凹んだ部分である。凹部８０９は、第４面８４から凹んだ部分である。凹部８０８および凹部８０９は、たとえば、樹脂部８の形成においてドレインリード１を支持する処理等に起因して形成される。
【００４７】
図１、図２、図４〜図８に示すように、樹脂部８は、ドレイン露出部８０１、ソース露出部８０２、１以上の制御露出部８０３および制御露出部８０４を有する。ドレイン露出部８０１は、ドレインリード１のドレイン端子部１３が樹脂部８の第７面８７から露出する部分である。ソース露出部８０２は、ソースリード２のソース端子部２３が樹脂部８の第７面８７から露出する部分である。１以上の制御露出部８０３は、１以上の制御リード３の制御端子部３３が樹脂部８の第７面８７から露出する部分である。本実施形態においては、３つの制御リード３が設けられていることに対応して、３つの制御露出部８０３が設けられている。制御露出部８０４は、制御リード４の制御端子部４３が樹脂部８の第７面８７から露出する部分である。
【００４８】
図４に示すように、ドレイン露出部８０１、ソース露出部８０２、複数の制御露出部８０３および制御露出部８０４は、ｘ方向に並んでいる。複数の制御露出部８０３は、ｘ方向において、ソース露出部８０２を挟んでドレイン露出部８０１とは反対側に配置されている。
【００４９】
ドレイン露出部８０１とソース露出部８０２との距離ｄｘ１は、ソース露出部８０２、複数の制御露出部８０３および制御露出部８０４のうち隣り合うもの同士の距離である距離ｄｘ２，ｄｘ３，ｄｘ４，ｄｘ５のいずれよりも大きい。なお、好ましくは、距離ｄｘ１は、距離ｄｘ２，ｄｘ３，ｄｘ４，ｄｘ５の２倍以上４倍以下である。
【００５０】
ドレイン端子部１３とソース先端部２３２とのｚ方向における距離ｄｚ１は、ドレイン露出部８０１とソース露出部８０２との距離ｄｘ１よりも大きい。
【００５１】
ドレイン端子部１３の先端とソース先端部２３２の先端との距離ｄ１は、ソース先端部２３２の先端と複数の制御先端部３３２の先端および制御端子部４３の先端との距離よりも大きい。また、ドレイン端子部１３の先端と制御先端部３３２の先端および制御端子部４３の先端との距離である距離ｄ２，ｄ３，ｄ４，ｄ５は、距離ｄ１よりも大きい。
【００５２】
ドレイン露出部８０１とソース先端部２３２とのｚ方向における距離ｄｚ１と、３本の制御先端部３３２のうちｘ方向において中央に位置するものとのｚ方向における距離ｄｚ１とは、略同じである。３本の制御先端部３３２のうちｘ方向両側に位置するものとドレイン露出部８０１とのｚ方向における距離ｄｚ２は、距離ｄｚ１よりも大きい。また、距離ｄｚ１は、ソース先端部２３２および３本の制御先端部３３２のうち隣り合うもの同士のｚ方向における距離よりも大きい。
【００５３】
距離ｄ１は、樹脂部８のｘ方向における大きさＷの０．５倍以上１．０倍以下であることが好ましい。
【００５４】
図示された例においては、大きさＷが、たとえば１０ｍｍである。この場合、距離ｄ１は、５ｍｍ以上１０ｍｍ以下であり、たとえば７ｍｍ程度である。この他、距離ｄｘ１は、たとえば３．２ｍｍ程度であり、距離ｄｘ２，ｄｘ３，ｄｘ４，ｄｘ５は、たとえば１．２ｍｍ程度である。また、距離ｄｚ１は、６．３ｍｍ程度であり、距離ｄｚ２は、７．６ｍｍ程度である。
【００５５】
次に、半導体装置Ａ１の作用について説明する。
【００５６】
本実施形態によれば、図４に示すように、ドレイン露出部８０１とソース露出部８０２との距離ｄｘ１は、ソース露出部８０２、複数の制御露出部８０３および制御露出部８０４のうち隣り合うもの同士の距離ｄｘ２，ｄｘ３，ｄｘ４，ｄｘ５よりも大きい。これにより、相対的に電位差が大きくなるドレインリード１とソースリード２とをより適切に絶縁しつつ、半導体装置Ａ１の全体が大型化することを回避することが可能である。したがって、半導体装置Ａ１の高電圧化と小型化とを図ることができる。
【００５７】
距離ｄｘ１が、距離ｄｘ２，ｄｘ３，ｄｘ４，ｄｘ５の２倍以上４倍以下であることは、半導体装置Ａ１の高電圧化と小型化とを図るのに好ましい。
【００５８】
ドレイン端子部１３の先端とソース先端部２３２の先端との距離ｄ１は、大きさＷの０．５倍以上１．０倍以下とされている。これにより、半導体装置Ａ１が回路基板（図示略）に実装された場合に、ドレインリード１のドレイン端子部１３とソースリード２のソース先端部２３２とのそれぞれの実装接合部分を、互いに遠ざけることが可能である。これは、半導体装置Ａ１を小型に維持しつつ、回路基板での絶縁向上を図ることが可能であり、高電圧可に好ましい。
【００５９】
ドレイン端子部１３とソース先端部２３２とのｚ方向の距離ｄｚ１は、ドレイン露出部８０１とソース露出部８０２とのｘ方向の距離ｄｘ１よりも大きい。これにより、半導体装置Ａ１のｘ方向寸法を不当に拡大させずに、ドレイン端子部１３とソース先端部２３２とを遠ざけることができる。また、ドレイン端子部１３と複数の制御先端部３３２との距離ｄｚ１，ｄｚ２は、ドレイン露出部８０１と複数の制御露出部８０３との距離よりも大きい。これは、半導体装置Ａ１の高電圧化と小型化とを図るのに好ましい。
【００６０】
ソース先端部２３２および複数の制御先端部３３２は、ｙ方向視において千鳥配置とされている。これにより、ソース露出部８０２と複数の制御露出部８０３とを相互に不当に離間させることなく、ソース先端部２３２および複数の制御先端部３３２のうち隣り合うもの同士の距離をより大きく確保することができる。これは、半導体装置Ａ１を回路基板等に実装する際に、ソース先端部２３２および複数の制御先端部３３２を接合するためのはんだ等が互いに付着してしまうことを回避するのに好ましい。
【００６１】
ドレイン端子部１３に対して、ｘ方向反対側に配置された制御端子部４３は、ｙ方向に沿った直線形状とされている。これにより、ドレイン端子部１３および制御端子部４３と、これらに挟まれたソース先端部２３２および複数の制御先端部３３２とが、ｚ方向に大きく離間した配置となる。このため、半導体装置Ａ１を回路基板等に実装した際に、ドレイン端子部１３および制御端子部４３とソース先端部２３２および複数の制御先端部３３２とによって、スイッチング素子５、制御素子６および樹脂部８等をより強固に支持することが可能である。
【００６２】
図８および図９に示すように、ワイヤボンディング部２１は、第１延出部２１１および第２延出部２１２を有する。ｘ方向一方側に延出する第２延出部２１２は、ｘ方向他方側に延出する第１延出部２１１よりもｘ方向の大きさが大きい。これにより、複数のワイヤ９１をボンディングする部位であるワイヤボンディング部２１の大きさを拡大しつつ、ドレインリード１のワイヤボンディング部３１からソースリード２のソース端子部２３をｘ方向他方側に離間させることが可能である。これは、高電圧可や大電流化に好ましい。
【００６３】
図１６および図１７は、本開示の他の実施形態を示している。なお、これらの図において、上記実施形態と同一または類似の要素には、上記実施形態と同一の符号を付している。
【００６４】
＜第２実施形態＞
図１６は、本開示の第２実施形態に係る半導体装置を示す底面図である。本実施形態の半導体装置Ａ２は、半導体装置Ａ１における制御リード４を備えていない点が、上述した実施形態と異なる。
【００６５】
本実施形態においては、複数の制御リード３は、半導体装置Ａ１と同様に、制御先端部３３２が、ドレイン端子部１３に対してｚ方向一方側に配置された構成となっている。これは、複数の制御先端部３３２とドレイン端子部１３との距離ｄ２，ｄ３，ｄ４を適切に確保するのに好ましい。また、本実施形態から理解されるように、本開示においては、半導体装置Ａ１における制御リード４を備えない構成であってもよい。
【００６６】
＜第３実施形態＞
図１７は、本開示の第３実施形態に係る半導体装置を示す底面図である。本実施形態の半導体装置Ａ３は、ドレインリード１、ソースリード２、複数の制御リード３および制御リード４に加えて制御リード４’を備えている。
【００６７】
制御リード４’は、制御リード４に対してｘ方向においてドレインリード１、ソースリード２および複数の制御リード３と反対側に配置されている。制御リード４’は、制御素子６の複数の電極パッド６２のいずれかに導通している。
【００６８】
制御リード４’は、制御端子部４３’を有する。制御端子部４３’は、樹脂部８の第７面８７からｙ方向一方側に延出している。制御端子部４３は、制御基端部４３１、制御先端部４３２および制御連結部４３３を有する。制御基端部４３１は、樹脂部８からｙ方向一方側に沿って延びる部分である。制御先端部４３２は、制御基端部４３１に対してｙ方向一方側であって、ｚ方向一方側に位置している。制御先端部４３２は、ｙ方向に沿って延びている。制御連結部４３３は、制御基端部４３１および制御先端部４３２を連結しており、ｙ方向およびｚ方向に対して傾斜している。なお、制御リード４’が樹脂部８から露出する部分である制御露出部８０４’と制御露出部８０４とのｘ方向における距離ｄｘ６は、たとえば距離ｄｘ５と略同じである。
【００６９】
制御先端部４３２は、ｚ方向において制御リード４の制御端子部４３とソース先端部２３２および複数の制御先端部３３２との間に位置している。制御先端部４３２は、ｚ方向においてソース先端部２３２および複数の制御先端部３３２よりも制御端子部４３に近い位置に配置されている。制御端子部４３と制御先端部４３２とのｚ方向における距離は、たとえば距離ｄｚ１と距離ｄｚ２の差に相当する大きさである。
【００７０】
本実施形態によっても、半導体装置Ａ３の小型化と高電圧化とを図ることができる。また、本実施形態から理解されるように、制御リード３および制御リード４，４’の本数は何ら限定されない。また、制御リード４’の制御端子部４３は、ｘ方向においてドレイン端子部１３から十分に離れているため、ｚ方向に大きく折り曲げてドレイン端子部１３との距離を確保する必要はない。ただし、隣り合う制御リード４の制御端子部４３と制御端子部４３’とをｚ方向にシフトさせておくことにより、半導体装置Ａ３を実装する際に、制御端子部４３および制御先端部４３２を回路基板に接合するためのはんだ等が不当に付着することを抑制することができる。
【００７１】
本開示に係る半導体装置は、上述した実施形態に限定されるものではない。本開示に係る半導体装置の各部の具体的な構成は、種々に設計変更自在である。
【００７２】
〔付記１〕
複数のリードと、
ドレイン電極、ソース電極およびゲート電極を有するスイッチング素子と、
前記スイッチング素子を制御する制御素子と、
前記複数のリードの一部ずつ、前記スイッチング素子および前記制御素子を覆う樹脂部と、を備える半導体装置であって、
前記複数のリードは、前記ドレイン電極に導通するドレインリードと、前記ソース電極に導通するソースリードと、前記制御素子に導通する１以上の制御リードと、を含み、
前記ドレインリードが前記樹脂部から露出する部分であるドレインリード露出部と前記ソースリードが前記樹脂部から露出する部分であるソースリード露出部との第１方向における距離は、前記制御リードが前記樹脂部から露出する部分である制御リード露出部と前記ソースリード露出部とのうち隣り合うもの同士の距離よりも大きい、半導体装置。
〔付記２〕
前記ドレインリード露出部、前記ソースリード露出部および前記制御リード露出部は、前記第１方向に並んでいる、付記１に記載の半導体装置。
〔付記３〕
前記複数のリードは、複数の前記制御リードを含む、付記２に記載の半導体装置。
〔付記４〕
複数の前記制御リード露出部は、前記第１方向において、前記ソースリード露出部を挟んで前記ドレインリード露出部とは反対側に配置されている、付記３に記載の半導体装置。
〔付記５〕
前記ドレインリード露出部と前記前記ソースリード露出部との距離は、前記ソースリード露出部および前記複数の制御リード露出部のうち隣り合うもの同士の距離の２倍以上４倍以下である、付記４に記載の半導体装置。
〔付記６〕
前記ドレインリードは、前記樹脂部から突出するドレイン端子部を有し、
前記ソースリードは、前記樹脂部から突出するソース端子部を有し、
前記制御リードは、前記樹脂部から突出する制御端子部を有する、付記４または５に記載の半導体装置。
〔付記７〕
前記ドレイン端子部は、前記第１方向と直角である第２方向に沿った形状である、付記６に記載の半導体装置。
〔付記８〕
前記ソース端子部は、前記ソースリード露出部から前記第２方向に沿って延びるソース基端部と、前記ソース基端部に対して前記第２方向一方側であって前記第１方向および前記第２方向と直角である第３方向の一方側に位置し且つ前記第２方向に沿って延びるソース先端部と、を有する、付記７に記載の半導体装置。
〔付記９〕
前記ソース端子部は、前記ソース基端部および前記ソース先端部を連結し且つ前記第２方向および前記第３方向に対して傾斜したソース連結部を有する、付記８に記載の半導体装置。
〔付記１０〕
前記ドレイン端子部と前記ソース先端部との前記第３方向における距離は、前記ドレインリード露出部と前記ソースリード露出部との距離よりも大きい、付記９に記載の半導体装置。
〔付記１１〕
前記複数の制御端子部は、前記制御リード露出部から前記第２方向に沿って延びる制御基端部と、前記制御基端部に対して前記第２方向一方側であって前記第１方向および前記第２方向と直角である第３方向の一方側に位置し且つ前記第２方向に沿って延びる制御先端部と、有するものを含む、付記９または１０に記載の半導体装置。
〔付記１２〕
前記複数の制御端子部は、前記制御基端部および前記制御先端部を連結し且つ前記第２方向および前記第３方向に対して傾斜した制御連結部を有するものを含む、付記１１に記載の半導体装置。
〔付記１３〕
前記ドレイン端子部と前記制御先端部との前記第３方向における距離は、前記ドレインリード露出部と前記制御リード露出部との距離よりも大きい、付記１２に記載の半導体装置。
〔付記１４〕
前記ソース先端部および前記複数の制御先端部のうち前記第１方向において隣り合うもの同士は、互いの前記第３方向における位置が異なる、付記１１または１２に記載の半導体装置。
〔付記１５〕
前記複数の制御端子は、前記第１方向において前記ドレイン端子部から最も離間し且つ前記制御端子部が第２方向に沿って延びる形状であるものを含む、付記１２ないし１４のいずれかに記載の半導体装置。
〔付記１６〕
前記ドレイン端子部の先端と前記ソース端子部の先端との距離は、前記樹脂部の前記第１方向における大きさの０．５倍以上１．０倍以下である、付記８ないし１５のいずれかに記載の半導体装置。
〔付記１７〕
前記ドレイン端子部の先端と前記ソース端子部の先端との距離は、５ｍｍ以上１０ｍｍ以下である、付記１６に記載の半導体装置。
〔付記１８〕
前記スイッチング素子は、ＳｉＣを主材とする半導体層を有する、付記１ないし１７のいずれかに記載の半導体装置。
【符号の説明】
【００７３】
Ａ１，Ａ２，Ａ３：半導体装置
１        ：ドレインリード
２        ：ソースリード
３，４，４’：制御リード
５        ：スイッチング素子
６        ：制御素子
７        ：絶縁層
８        ：樹脂部
１１      ：ダイボンディング部
１２      ：連結部
１３      ：ドレイン端子部
２１      ：ワイヤボンディング部
２３      ：ソース端子部
３１      ：ワイヤボンディング部
３３      ：制御端子部
４１      ：ワイヤボンディング部
４３      ：制御端子部
４３'    ：制御端子部
５１      ：半導体層
５２      ：ドレイン電極
５３      ：ソース電極
５４      ：ゲート電極
５９      ：導電性接合材
６１      ：本体
６２      ：電極パッド
６９      ：接合材
７９      ：接合材
８１      ：第１面
８２      ：第２面
８３      ：第３面
８４      ：第４面
８５      ：第５面
８６      ：第６面
８７      ：第７面
８８      ：第８面
９１，９２，９３，９４：ワイヤ
１１１    ：主部
１１２    ：第１延出部
１１３    ：第２延出部
１１４    ：曲線部
１１６    ：屈曲線部
１１７    ：貫通孔
１１８    ：スリット
２１１    ：第１延出部
２１２    ：第２延出部
２１３    ：曲線部
２１４    ：曲線部
２１５    ：曲線部
２１６    ：角部
２３１    ：ソース基端部
２３２    ：ソース先端部
２３３    ：ソース連結部
３３１    ：制御基端部
３３２    ：制御先端部
３３３    ：制御連結部
４３１    ：制御基端部
４３２    ：制御先端部
４３３    ：制御連結部
８０１    ：ドレイン露出部
８０２    ：ソース露出部
８０３    ：制御露出部
８０４    ：制御露出部
８０７    ：貫通孔
８０８，８０９：凹部
ｄ１，ｄ２，ｄ３，ｄ４，ｄ５，ｄｘ１，ｄｘ２，ｄｘ３，ｄｘ４，ｄｘ５，ｄｚ１，ｄｚ２：距離
【図１】
2020188104.tif 000003
【図２】
2020188104.tif 000004
【図３】
2020188104.tif 000005
【図４】
2020188104.tif 000006
【図５】
2020188104.tif 000007
【図６】
2020188104.tif 000008
【図７】
2020188104.tif 000009
【図８】
2020188104.tif 000010
【図９】
2020188104.tif 000011
【図１０】
2020188104.tif 000012
【図１１】
2020188104.tif 000013
【図１２】
2020188104.tif 000014
【図１３】
2020188104.tif 000015
【図１４】
2020188104.tif 000016
【図１５】
2020188104.tif 000017
【図１６】
2020188104.tif 000018
【図１７】
2020188104.tif 000019